(57)【要約】【課題】枠体どうしの相互位置ずれに殆ど影響されることなく１のセンサによって複数の枠体の開閉を検出することができ、正確な開閉検出と部品コストの低減を両立させることのできる開閉検出ユニット及びその開閉検出ユニットを有する遊技機を提供すること。【解決手段】この開閉検出ユニット１は、パチンコ機２全体を囲む筐体枠４と機枠８との開閉、及び、機枠８と装飾枠１２との開閉を検出するための開閉検出ユニットであって、いずれの枠体４，８，１２からも独立して揺動支持されるとともに、１のマイクロスイッチ１ａと、筐体枠４と装飾枠１２とにそれぞれ付勢されて当接する複数の当接部１ｄ，３ｄとを有し、筐体枠４と機枠８との開閉及び機枠８と装飾枠１２との開閉の両方を検出可能である。【選択図】図３
2008125774.tif 000002
【特許請求の範囲】
【請求項１】
遊技機全体を囲む筐体枠体と該筐体枠体に対して前面開閉可能に揺動支持された第１枠体との開閉、及び、
該第１枠体と該第１枠体に対して前面開閉可能に揺動支持された第２枠体との開閉を検出するための開閉検出ユニットであって、
前記いずれの枠体からも独立して揺動支持されるとともに、
１の開閉センサと、
前記筐体枠体と前記第２枠体とにそれぞれ付勢されて当接する複数の当接部と、を有し、
前記筐体枠体と前記第１枠体との開閉及び前記第１枠体と前記第２枠体との開閉の両方を検出可能である開閉検出ユニット。
【請求項２】
前記開閉センサが、前記いずれかの揺動支持部近傍に配置されている請求項１に記載の開閉検出ユニット。
【請求項３】
前記開閉センサが、マイクロスイッチである請求項１又は請求項２に記載の開閉検出ユニット。
【請求項４】
遊技機全体を囲む筐体枠体と、
遊技媒体による遊技を演出し、前記第１枠体又は前記第２枠体の少なくともいずれか一方に保持される遊技装置体と、
前記筐体枠体に対して前面開閉可能に揺動支持された第１枠体と、
前記遊技装置体に対して一定距離離間して配置された前面透明板と、
該前面透明板又はその周囲を囲む装飾部材を保持し、前記第１枠体に対して前面開閉可能に揺動支持された第２枠体と、
前記遊技媒体を貯留する貯留皿と、
請求項１から請求項３のうちいずれか１項に記載の開閉検出ユニットと、を有する遊技機。
【発明の詳細な説明】
【技術分野】
【０００１】
本発明は、開閉検出ユニット及び遊技機に係り、特に、１のセンサによって複数の枠体の開閉を検出することのできる開閉検出ユニット及びその開閉検出ユニットを有する遊技機に関する。
【背景技術】
【０００２】
パチンコ機等の弾球遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機は、機器全体が複数の枠により囲まれるように構成されて、球の円滑な流下、遊技者による遊技盤への不正アクセス防止、パチンコホールへの設置性の向上、メンテナンス性の向上等様々な機能を実現している。
【０００４】
具体的には、木材や樹脂等で形成された筐体枠が、パチンコ機全体の主に上下面及び左右側面を囲むように構成されている。そして、その筐体枠の前面、すなわち遊技者側には機枠が筐体枠に対して開閉及び施錠可能に配置され、この機枠が遊技盤を保持している。さらにその機枠の前面には装飾枠が機枠に対して開閉及び施錠可能に配置され、この装飾枠が遊技盤前面の前面透明板やその周囲に配置される各種装飾部材を保持している。
【０００５】
このように、パチンコ機は、遊技者の遊技盤に対する不正アクセスを前面からも上下左右側面からも不可能に構成されている。また、パチンコホールの店員が遊技盤や機枠裏面側の裏機構盤をメンテナンスする必要がある場合には、必要に応じて装飾枠や機枠を解錠開閉し、店員が容易にアクセス可能となるように構成されている。
【０００６】
しかしながら、遊技者によっては、機枠や装飾枠の施錠装置を不正に解錠し、機枠や装飾枠を不正開閉して遊技盤やその他のパチンコ機内部の部品にアクセスする場合がある。したがって、筐体枠に対して機枠が開放されたことや機枠に対して装飾枠が開放されたことを正確に検出し、パチンコ機に接続された管理コンピュータに通知したり警告を表示したりする必要がある。
【０００７】
機枠や装飾枠の開閉を検出するために、従来のパチンコ機においては開閉センサがそれぞれ設けられている。すなわち、筐体枠に対する機枠の開閉を検出するために、機枠開閉センサが設けられ、機枠に対する装飾枠の開閉を検出するために、装飾枠開閉センサが設けられている。
【０００８】
しかし、枠ごとに開閉センサを設けるとセンサの個数が多くなってしまい、パチンコ機のコスト増加に繋がってしまう。また、各開閉センサからの配線も必要となるため、組立て作業も煩雑となってしまう。
【０００９】
そこで、機枠の開閉及び装飾枠の開閉の２つの開閉検出を１つの開閉センサによって行う構成が、例えば特許文献１に開示されている。これによれば、１つの開閉センサによって機枠及び装飾枠の両方の開閉を検出できるので、部品点数やコストを削減することができる。
【００１０】
【特許文献１】特開２００１−３２３７２２号公報
【発明の開示】
【発明が解決しようとする課題】
【００１１】
しかしながら、特許文献１に開示のものにおいては、センサスイッチとそのセンサスイッチに枠開閉を検出させるプランジャとが別々の枠に設けられているので、開閉検出の精度に欠けるという問題がある。すなわち、センサスイッチが取り付けられる枠とプランジャが取り付けられる枠との相互位置にずれが生じると、プランジャが正確にセンサスイッチに作用することができなくなり、正確に開閉検出を行うことができない。
【００１２】
また、センサスイッチが装飾枠（窓付きドア）に取り付けられているので、センサスイッチからセンサ基板への配線の引き回しが面倒であり、配線部品や配線作業にかかるコストも大きくなってしまう。
【００１３】
さらに、センサスイッチが枠内に組み込まれているので、枠の交換時にはセンサスイッチの交換の必要がない場合でも、センサスイッチごと交換せざるを得ないという問題もある。
【００１４】
本発明は上記の事情に鑑みて為されたもので、枠体どうしの相互位置ずれに殆ど影響されることなく１のセンサによって複数の枠体の開閉を検出することができ、正確な開閉検出と部品コストの低減を両立させることのできる開閉検出ユニット及びその開閉検出ユニットを有する遊技機を提供することを例示的課題とする。
【００１５】
そのセンサからの配線の引き回しが簡単であり、配線コストを低減することができる開閉検出ユニット等を提供することを他の例示的課題とする。また、枠体の交換時に、不必要にセンサ交換を行わずに済む開閉検出ユニット等を提供することも他の例示的課題とする。
【課題を解決するための手段】
【００１６】
上記の課題を解決するために、本発明の例示的側面としての開閉検出ユニットは、遊技機全体を囲む筐体枠体と筐体枠体に対して前面開閉可能に揺動支持された第１枠体との開閉、及び、第１枠体と第１枠体に対して前面開閉可能に揺動支持された第２枠体との開閉を検出するための開閉検出ユニットであって、いずれの枠体からも独立して揺動支持されるとともに、１の開閉センサと、筐体枠体と第２枠体とにそれぞれ付勢されて当接する複数の当接部と、を有し、筐体枠体と第１枠体との開閉及び第１枠体と第２枠体との開閉の両方を検出可能であることを特徴とする。
【００１７】
１の開閉センサによって筐体枠体と第１枠体との開閉及び第１枠体と第２枠体との開閉を検出するので、部品点数や部品コストの削減に寄与することができる。また、配線作業も簡単となる。開閉検出ユニットが、いずれの枠体からも独立して設けられているので、枠体どうしの相互位置に多少のずれが生じた場合でも確実かつ正確に開閉検出を行うことができる。また、枠体を交換する際にも、開閉検出ユニットを交換する必要がなくなるので、部品交換コストを低減することができる。
【００１８】
さらに、開閉検出ユニットが枠体と同様に揺動支持されているので、開閉検出ユニットの移動の際の移動方向と枠体の開閉時の移動方向に大きな差が生じない。したがって、開閉検出ユニットの移動方向、すなわち検出方向と枠体の移動方向とが略一致するので検出精度が向上する。しかも、枠体の開閉時に当接部と枠体との間で摺動が殆ど生じないので、当接部や枠体の耐摩耗性を向上させることもできる。
【００１９】
ここで、遊技機としては、パチンコ機の他、パチスロ機、スロットマシン、その他の各種遊技機が考えられる。また、筐体枠体は例えば遊技機の筐体枠であり、第１枠体は例えば遊技を演出する遊技装置体（例えば、遊技盤）を保持する機枠であり、第２枠体は例えば前面透明板又はその周囲を囲む装飾部材を保持する装飾枠であってもよい。もちろん第２枠体が遊技装置体をも保持するものであってもよい。
【００２０】
開閉検出ユニットにおいて、開閉センサが、いずれかの揺動支持部近傍に配置されていてもよい。
【００２１】
この開閉検出ユニットが遊技機としてのパチンコ機に適用された場合、開閉センサからの配線が接続される接続先としてのセンサ基板は、通常、第１枠体（例えば、遊技盤を保持する機枠）の裏面側又は第１枠体が保持する遊技盤の裏面側に配置される。したがって、開閉検出ユニットとセンサ基板とは、それぞれ独立に揺動可能となっている。しかし、開閉検出ユニットがいずれかの揺動支持部近傍に配置されているので、開閉センサからセンサ基板までの配線の引き回しが容易となる。揺動支持部近傍を介して配線すれば、両者がそれぞれ独立して揺動しても配線が弛んだり引っ張られたりすることはない。配線部材も少なくて済むので部品コストも低減することができ、また配線作業も簡単となって作業効率も向上する。
【００２２】
開閉検出ユニットにおいて、開閉センサが、マイクロスイッチであってもよい。マイクロスイッチを用いることにより、簡単かつ安価に開閉検出ユニットを構成することができる。
【００２３】
本発明の他の例示的側面としての遊技機は、遊技機全体を囲む筐体枠体と、遊技媒体による遊技を演出する遊技装置体と、遊技装置体を保持し、筐体枠体に対して前面開閉可能に揺動支持された第１枠体と、遊技装置体に対して一定距離離間して配置された前面透明板と、前面透明板又はその周囲を囲む装飾部材を保持し、第１枠体に対して前面開閉可能に揺動支持された第２枠体と、遊技媒体を貯留する貯留皿と、上記の開閉検出ユニットとを有することを特徴とする。
【００２４】
この遊技機は上記の開閉検出ユニットを有しているので、遊技機の部品点数、部品コストを低減することができる上に、配線作業が簡単となって遊技機の組立て性も向上する。しかも、枠体どうしの相互位置に多少のずれが生じた場合でも確実かつ正確に開閉検出を行うことができるので、遊技機の枠体の不正開放を確実に検出することができ、開閉検出の信頼性が向上する。
【００２５】
ここで、遊技機としては、パチンコ機の他、パチスロ機、スロットマシン、その他の各種遊技機が考えられる。例えばパチンコ機において、筐体枠体がパチンコ機全体を囲む筐体枠であり、第１枠体が遊技装置体としての遊技盤を保持する機枠であり、第２枠体が前面透明板又はその周囲を囲む装飾部材を保持する装飾枠であってもよい。
【００２６】
一方、スロットマシンにおいては、最前面に配置された第２枠体が回胴体をも保持するものであってもよい。すなわち、筐体枠体がスロットマシン全体を囲む筐体枠であり、第１枠体が筐体枠に対して前面開閉可能に揺動支持された機枠であり、第２枠体が遊技装置体としての回胴体と前面透明板又はその周囲を囲む装飾部材とを保持する装飾枠であってもよい。この場合において、スロットマシンにおいては筐体枠と機枠とが一体とされたものであってももちろんよい。
【００２７】
本発明の更なる目的又はその他の特徴は、以下添付図面を参照して説明される好ましい実施の形態によって明らかにされるであろう。
【発明の効果】
【００２８】
本発明によれば、枠体どうしの相互位置ずれに殆ど影響されることなく１の開閉センサによって複数の枠体の開閉を検出することができ、正確かつ確実な開閉検出と部品点数、部品コストの低減とを両立させることができる。しかも、その開閉センサからの配線の引き回しを簡単にすることができ、配線コスト低減や配線作業性向上も実現することができる。枠体の交換時に、不必要な開閉センサの交換を行わずに済むので部品交換コストを低減することができる。この開閉検出ユニットを遊技機に用いた場合は、その遊技機のコスト低減、組立て性向上、枠体の不正開放防止に寄与することができる。
【発明を実施するための最良の形態】
【００２９】
［実施の形態１］
以下、本発明の実施の形態１について図面を用いて説明する。図１は、本発明の実施の形態１に係る開閉検出ユニット１（図２も参照）を有する遊技機としてのパチンコ機２の外観斜視図である。また、図２は、このパチンコ機２を上面から見た、ヒンジ部１８近傍の部分断面図である。図１においては、パチンコ機２の装飾枠１２が開放された状態を示し、図２においては、筐体枠４、機枠８、装飾枠１２のいずれもが閉鎖された状態を示している。
【００３０】
パチンコ機は、組合せ式パチンコ機、封入循環式パチンコ機等を含む。また、遊技機としてはパチンコ機の他に、遊技媒体としてコインを使用するパチスロ機やスロットマシン、各種ゲーム機やアーケードマシン等が概念できる。
【００３１】
パチンコ機２は、筐体枠（筐体枠体）４、遊技盤（遊技装置体）６、機枠（第１枠体）８、前面透明板１０、装飾枠（第２枠体）１２、上皿（貯留皿）１４、開閉検出ユニット１を有して構成されている。パチンコ機２は、さらに、球発射装置（図示せず。）、発射ハンドル１６を有している。
【００３２】
筐体枠４は、このパチンコ機２全体を囲むための枠体であり、平面視略長方形に構成されている。材料としては、木材が用いられることが多いが、他に樹脂やアルミ等の金属が用いられることもある。筐体枠４は、パチンコ機２全体の上下面及び左右側面を囲い、前面（すなわち、遊技者側）から見て左側面側には機枠８及び装飾枠１２を揺動支持するためのヒンジ部（揺動支持部）１８が設けられている。
【００３３】
遊技盤６は、このパチンコ機２において、遊技媒体としての球２０による遊技を演出するためのものである。遊技盤６の遊技盤面６ａには、略円形状に周囲を囲むようにレール２２が取り付けられ、このレール２２によって遊技領域６ｂが画定されている。
【００３４】
その遊技領域６ｂ内には多数のゲージ２４、入賞口２６、図柄表示装置２８、アウト口３０、その他の各種役物が配置されている。図示しない球発射装置により球２０が遊技領域６ｂ内の上部に向けて発射されると、球２０がゲージ２４に衝突してその流下方向を変えつつ遊技領域６ｂ内を流下するようになっている。その流下の途中で、あるものは入賞口２６に入賞して景品球払出しの契機となり、あるものは図柄表示装置２８による図柄変動遊技開始の契機となり、また、あるものはいずれの入賞口２６にも入賞せずにアウト口３０からパチンコ機２の外部へと排出される。このように、遊技盤６上を球２０が流下する際に、様々な遊技が演出されるようになっている。
【００３５】
遊技盤６の裏面側には入賞口２６に入賞した入賞球やアウト口３０に流入したアウト球を排出するための球経路、図柄表示装置２８の図柄表示制御を行う図柄表示制御基板（図示せず。）、各種役物の動作制御を行う役物制御基板が配置されるが詳細は省略する。
【００３６】
機枠８は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前面側に配置されてヒンジ部１８において筐体枠４に軸支され、筐体枠４に対して前面開閉可能に揺動支持されている。機枠８は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出し装置（図示せず。）等が配置されている。また、このパチンコ機２全体の制御を行うためのメイン制御基板（図示せず。）や後述する開閉検出ユニット１からの配線が接続されるセンサ基板（図示せず。）も配置されている。
【００３７】
前面透明板１０は、遊技盤６に対して一定距離離間して配置された透明板である。前面透明板１０は透明平板で形成され、遊技盤６との間に球２０が流下する流下空間を形成する機能、遊技者が前面透明板１０を通して遊技盤６を視認できるように視認性を確保する機能、遊技者が遊技盤６に不正にアクセス（接触）できないように不正アクセスを防止する機能、を発揮する。
【００３８】
そのため、前面透明板１０の素材としては一般にガラスが使用されるが、もちろん透明アクリル等の樹脂材料が使用されてもよい。また、本実施の形態１においては、前面透明板１０が後述する装飾枠１２に保持されるが、前面透明板１０が遊技盤６の前面に取り付けられて、遊技盤６とともに機枠８に保持されるように構成されていてもよい。
【００３９】
装飾枠１２は、前面透明板１０又はその周囲を囲む装飾部材３２を保持するための枠体である。本実施の形態１においては、装飾枠１２は、前面透明板１０及び装飾部材３２の両方を保持している。その装飾枠１２は、機枠８の前面側に配置されてヒンジ部１８において機枠８とともに筐体枠４に軸支され、機枠８に対して前面開閉可能に揺動支持されている。
【００４０】
装飾枠１２は樹脂又は金属によって形成され、その中央部には前面透明板１０を取り付けるための取付け開口が形成されている。その前面透明板１０の周囲には、パチンコ機２を装飾するための造形・色彩・ランプが付された装飾部材３２が取り付けられ、パチンコ機２の遊技演出に寄与している。
【００４１】
なお、本実施の形態１では、筐体枠４に設けられたヒンジ部１８に機枠８及び装飾枠１２の両方が軸支される構成となっている。しかしながら、機枠８と装飾枠１２とがそれぞれ異なるヒンジ部によって軸支されていてももちろんよい。筐体枠４に機枠８を軸支するヒンジ部が設けられ、機枠８に装飾枠１２を軸支する別のヒンジ部が設けられていてももちろんよい。
【００４２】
上皿１４は、球２０を球発射装置に導くべく貯留するためのもので、下皿１５とともに遊技者の持ち球を貯留する機能を有する。上皿１４は、パチンコ機２の前面であって遊技盤６の下方、すなわち装飾枠１２の下方部分に配置され、下皿１５は、その上皿１４のさらに下方に配置されている。本実施の形態１においては、上皿１４と下皿１５とを別々に構成しているが、もちろん上皿１４と下皿１５とが一体となって１つの貯留皿が構成されていてもよい。
【００４３】
上皿１４は、景品球としてパチンコ機２から払い出された球２０を受け取る機能や、その球２０を球供給装置（いわゆる整流器、図示せず。）を介して球発射装置に導くべく貯留する機能を有している。また、球２０が多量となって上皿１４に貯留し切れなくなった場合や遊技者が遊技を終了する場合に、球排出ボタン１４ｂによって下皿１５へと球２０を排出することができるようになっている。
【００４４】
開閉検出ユニット１は、筐体枠４と機枠８との開閉及び機枠８と装飾枠１２との開閉を検出するためのものである。図３は、開閉検出ユニット１の概略構造を部分的に拡大して示す構造図である。
【００４５】
この開閉検出ユニット１は、開閉センサとしてのマイクロスイッチ１ａを有しており、そのマイクロスイッチ１ａがベース部材３に取り付けられて構成されている。ベース部材３は、軸支部３ａ及び平板部３ｂを有して構成された樹脂又は金属の部材であり、その軸支部３ａによってヒンジ部１８に軸支されて揺動可能とされている。
【００４６】
平板部３ｂの裏面３ｃ側にはマイクロスイッチ１ａが固定され、このベース部材３及びマイクロスイッチ１ａは、いずれの枠体（筐体枠４、機枠８、装飾枠１２）からも独立して揺動支持されている。開閉検出ユニット１に対応する機枠８の部分には切欠部８ａが形成されて、この開閉検出ユニット１が貫通可能に構成されている。それにより、マイクロスイッチ１ａのスイッチ部（当接部）１ｄが筐体枠４に当接可能に、また、ベース部材３の表面（当接部）３ｄが装飾枠１２に当接可能に構成されている。マイクロスイッチ１ａのスイッチ部１ｄは伸縮可能でかつ内部の付勢手段により伸長方向に付勢されており、伸長時にスイッチオフ、収縮時にスイッチオンが検出可能となっている。
【００４７】
図４（ａ）〜（ｃ）は、この開閉検出ユニット１の検出動作状態を示す動作状態図である。図４（ａ）に示すように、筐体枠４、機枠８、装飾枠１２のいずれもが閉鎖状態にあるとき、筐体枠４及び装飾枠１２がそれぞれスイッチ部１ｄ及びベース部材３の表面３ｄを付勢し、スイッチ部１ｄが収縮されてスイッチオフの状態となる。
【００４８】
しかし、図４（ｂ）に示すように、機枠８に対して装飾枠１２が開放状態となったとき、装飾枠１２と表面３ｄとの付勢当接が解除され、スイッチ部１ｄの付勢力の作用で開閉検出ユニット１は図中矢印Ｘ方向に回転移動する。それにより、スイッチ部１ｄが伸長しマイクロスイッチ１ａはスイッチオン状態となる。
【００４９】
また、図４（ｃ）に示すように、筐体枠４に対して機枠８が開放状態となったとき、スイッチ部１ｄと筐体枠４との付勢当接が解除されてスイッチ部１ｄが伸長する。それにより、マイクロスイッチ１ａはスイッチオン状態となる。
【００５０】
スイッチオフ状態のときに枠体閉鎖状態、すなわち正常であると判断し、スイッチオン状態のときに枠体開放状態、すなわち異常であると判断する判断回路をマイクロスイッチ１ａに接続すれば、この開閉検出ユニット１は、１つのマイクロスイッチ１ａによってすべての枠体の閉鎖時を正常、いずれかの枠体の開放時を異常と判断することができる。もちろん、筐体枠４、機枠８、装飾枠１２のすべてが開放状態の場合もスイッチオン状態となって、異常と判断することができる。
【００５１】
なお、本実施の形態１においては、開閉検出ユニット１がヒンジ部１８の近傍に配置されているので、マイクロスイッチ１ａから、センサ基板への配線の引き回しが簡単である。マイクロスイッチ１ａの直後にヒンジ部１８を介してセンサ基板へと配線することができるので、開閉検出ユニット１とセンサ基板とが互いに独立して揺動したとしても、配線が弛んだり引っ張られたりすることなく、配線への負担を軽減することができる。
【００５２】
開閉検出ユニット１がいずれの枠体４，８，１２からも独立して揺動支持されているので、いずれかの枠体４，８，１２の交換時にも開閉検出ユニット１をわざわざ交換する必要がない。交換の必要がある枠体のみを交換すれば足りる。各枠体どうしの位置ずれが多少生じてしまった場合でも、開閉検出ユニット１がいずれの枠体からも独立しているので、その位置ずれに影響されることが殆どなく、高精度かつ信頼性高く枠体の開閉検出を行うことができる。
【００５３】
また、各枠体４，８，１２と同様に開閉検出ユニット１も揺動支持されているので、枠体開閉時の枠体の移動方向が開閉検出ユニット１のスイッチ部１ｄの伸縮方向から大きくずれることがない。したがって、開閉検出ユニット１をヒンジ部１８近傍に配置した場合であっても、開閉検出の精度を高く維持することができ、信頼性の高い開閉検出を行うことができる。
【００５４】
図示しない球発射装置は、遊技媒体としての球（パチンコ球）２０を遊技領域６ｂの上部に向けて発射（弾球）するためのものである。球発射装置は、例えば発射位置に送り出された球２０を遊技領域６ｂに向けて弾球する発射杆、その発射杆を駆動して弾球往復動を行わせる発射モータ、発射杆を付勢して弾球のための力を発生させる発射バネ等を有してユニット構成され、機枠８に取り付けられている。
【００５５】
発射ハンドル１６は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆１６ａが回転可能となっている。遊技者は、発射ハンドル１６を手で保持しつつ、強度調整杆１６ａを回転させることにより、球２０の発射強度を調整することができるようになっている。
【００５６】
なお、本実施の形態１においては、遊技機としてのパチンコ機２について説明したが、もちろん上述のように、遊技機としてはパチスロ機やスロットマシン、各種ゲーム機やアーケードマシン等が概念できる。ここで、パチスロ機やスロットマシンの場合は、コインが遊技媒体に相当し、回胴体が遊技装置体に相当する。スロットマシンの場合は、回胴体は装飾枠に保持される構成となる。
【００５７】
［実施の形態２］
図５（ａ）〜（ｃ）は、本発明の実施の形態２に係る開閉検出ユニット５１を有するパチンコ機２を上面から見た、各枠体の部分断面図である。この開閉検出ユニット５１は、ベース部材５２、フォトインタラプタ５３、遮光部材５４，５５、バネ（付勢部材）５６，５７、中心軸５８を有して構成されている。なお、本実施の形態２において説明する事項以外の部分については、上記実施の形態１と略同様の構成であるので、詳細な説明を省略する。
【００５８】
ベース部材５２は、筐体枠４、機枠８、装飾枠１２のいずれの枠体からも独立してヒンジ部１８に揺動支持され、その底板部５２ａ上にフォトインタラプタ５３が固定されている。不透明部材で構成される２つの遮光部材５４，５５は、底板部５２ａ上に立設された中心軸５８を中心として回転可能に軸支され、筐体枠４又は装飾枠１２にそれぞれ当接する当接部５４ａ，５５ａ、フォトインタラプタ５３の検出光を遮光する遮光部５４ｂ，５５ｂを有している。
【００５９】
この遮光部材５４は、筐体枠４、機枠８、装飾枠１２が閉鎖状態にあるとき、バネ５６，５７の引っ張り力によって当接部５４ａ，５５ａが筐体枠４及び装飾枠１２にそれぞれ付勢当接し、遮光部５４ｂ，５５ｂが検出光の光路からともに外れるように設定されている。
【００６０】
一方、筐体枠４と機枠８とが開放状態となったとき、当接部５４ａと筐体枠４との付勢当接が解除されつつバネ５６の引っ張り力によって遮光部材５４が図中矢印Ｙ方向に回転する。そのバネ５６の引っ張り力の作用により、ベース部材５２が機枠８に対して図中矢印Ｚ方向に揺動し、結果的にベース部材５２は、筐体枠４と機枠８との開き角度の中間位置を保持しつつ両遮光部材５４，５５が回転して両遮光部５４ｂ，５５ｂが検出光の光路内に入り込むこととなる。
【００６１】
機枠８と装飾枠１２とが開放状態となったとき、当接部５５ａと装飾枠１２との付勢当接が解除されつつバネ５７の引っ張り力によって遮光部材５５が図中矢印Ｚ方向に回転する。そのバネ５７の引っ張り力の作用により、ベース部材５２が機枠８に対して図中矢印Ｙ方向に揺動し、結果的にベース部材５２は、機枠８と装飾枠１２との開き角度の略中間位置を保持しつつ両遮光部材５４，５５が回転して両遮光部５４ｂ，５５ｂが検出光の光路内に入り込むこととなる。
【００６２】
このように、すべての枠体が閉鎖状態にある図５（ａ）の場合、検出光が透光状態となってフォトインタラプタ５３が検出光を検出する。そして、機枠８に対して装飾枠１２が開放状態にある図５（ｂ）の場合も、筐体枠４に対して機枠８が開放状態にある図５（ｃ）の場合も、検出光が両遮光部材５４，５５の両遮光部５４ｂ，５５ｂによって遮光され、フォトインタラプタ５３が検出光を検出しない。
【００６３】
したがって、検出光を検出したときに正常であると判断し、検出光を検出しないときに異常であると判断する判断回路をフォトインタラプタ５３に接続すれば、すべての枠体の閉鎖状態を正常と判断し、いずれかの枠体の開放状態を異常と判断することができる。もちろん、すべての枠体の開放状態も、両遮光部材５４，５５の両遮光部５４ｂ，５５ｂによる検出光の遮光により異常と判断することができる。
【００６４】
筐体枠４に対して機枠８が開放された場合も、機枠８に対して装飾枠１２が開放された場合も、開閉検出ユニット５１は、枠体の開き角度の略中間位置を維持し、２つの遮光部材５４，５５が略均等に回転するので、正確かつ高精度な開閉検出を実現することができる。
【００６５】
この実施の形態２によれば、検出光による非接触検出により枠体の開閉検出を行っているので、検出接点が接触するタイプのものに比べ、動作安定性、耐摩耗性に優れる。したがって、この開閉検出ユニット５１は開閉検出の信頼性が高いものとなっている。
【００６６】
さらに、開閉検出ユニット５１を構成する各要素、すなわちフォトインタラプタ５３、遮光部材５４，５５、バネ５６，５７、中心軸５８がすべて１のベース部材５２に取り付けられているので、各要素どうしの位置ずれを生じない。したがって、枠体の繰り返し開閉動作によって各枠体の相対位置が多少ずれてしまっても、開閉検出ユニット１の各要素の位置ずれがないので、精度高くかつ信頼性高く枠体の開閉検出を行うことができる。
【００６７】
なお、ここでバネ５６，５７は、設計配置上の都合により引っ張りバネでも圧縮バネでも捩りバネでもよいことはもちろんであるが、バネ以外の、例えばゴムや樹脂等の弾性部材により付勢部材を構成してもよい。また、別々のバネ５６，５７でなく、１つのバネにより両遮光部材５４，５５を付勢してもよい。
【００６８】
以上、本発明の好ましい実施の形態を説明したが、本発明はこれらに限定されるものではなく、その要旨の範囲内で様々な変形や変更が可能である。
【図面の簡単な説明】
【００６９】
【図１】本発明の実施の形態１に係る開閉検出ユニットを有するパチンコ機の外観斜視図である。
【図２】図１に示すパチンコ機を上面から見た平面図であってヒンジ部近傍の部分断面を示す図である。
【図３】図２に示す開閉検出ユニットの概略構造を部分的に拡大して示す構造図である。
【図４】図２に示す開閉検出ユニットの動作状態を示す動作状態図であって、（ａ）は筐体枠、機枠、装飾枠が閉鎖された状態を示し、（ｂ）は機枠に対し装飾枠が開放された状態を示し、（ｃ）は筐体枠に対し機枠が開放された状態を示す。
【図５】本発明の実施の形態２に係る開閉検出ユニットを有するパチンコ機を上面から見た、各枠体の部分断面図であって、（ａ）は筐体枠、機枠、装飾枠が閉鎖された状態を示し、（ｂ）は機枠に対し装飾枠が開放された状態を示し、（ｃ）は筐体枠に対し機枠が開放された状態を示す。
【符号の説明】
【００７０】
Ｘ，Ｙ，Ｚ：矢印
１：開閉検出ユニット
１ａ：マイクロスイッチ（開閉センサ）
１ｄ：スイッチ部（当接部）
２：パチンコ機（遊技機）
３：ベース部材
３ａ：軸支部
３ｂ：平板部
３ｃ：裏面
３ｄ：表面（当接部）
４：筐体枠（筐体枠体）
６：遊技盤（遊技装置体）
６ａ：遊技盤面
６ｂ：遊技領域
８：機枠（第１枠体）
８ａ：切欠部
１０：前面透明板
１２：装飾枠（第２枠体）
１４：上皿（貯留皿）
１４ｂ：球排出ボタン
１５：下皿
１６：発射ハンドル
１６ａ：強度調整杆
１８：ヒンジ部（揺動支持部）
２０：球（遊技媒体）
２２：レール
２４：ゲージ
２６：入賞口
２８：図柄表示装置
３０：アウト口
３２：装飾部材  
５１：開閉検出ユニット
５２：ベース部材
５２ａ：底板部
５３：フォトインタラプタ
５４，５５：遮光部材
５４ａ，５５ａ：当接部
５４ｂ，５５ｂ：遮光部
５６，５７：バネ（付勢部材）
５８：中心軸
【図１】
2008125774.tif 000003
【図２】
2008125774.tif 000004
【図３】
2008125774.tif 000005
【図４】
2008125774.tif 000006
【図５】
2008125774.tif 000007